(57)【要約】【課題】羽根無し送風機組立体を用いることにより、液晶パネル、偏光板などの光学部品における光透過面の中心部分を効率的に冷却するとともに光透過面全体を均等に冷却できるようにした投写型映像表示装置を提供すること。【解決手段】光源ランプからの光を変調する液晶ライトバルブ３０を構成する光学部品を冷却する冷却システムを備えている。また、液晶ライトバルブ３０を構成する光学部品の光透過面に対し、光の透過に支障を与えることなく垂直に冷却風を吹き付けることのできる羽根無し送風機組立体７０が設けられている。羽根無し送風機組立体７０は、具体的には、機内または機外の空気を一次空気として取り入れる環状ダクト７２と、環状ダクト７２の内周側に形成される中央開口部７３と、中央開口部７３の空気を誘引するように環状ダクト７２の側面に開口する環状ノズル７４とを備えたものである。【選択図】図３
2012037710.tif 000002
【特許請求の範囲】
【請求項１】
光源ランプと、光源ランプからの光を変調する液晶ライトバルブと、液晶ライトバルブを構成する光学部品を冷却する冷却システムを備えた投写型映像表示装置において、
前記液晶ライトバルブを構成する光学部品の光透過面に対し、光の透過に支障を与えることなく垂直に冷却風を吹き付けることのできる羽根無し送風機組立体を備えた
ことを特徴とする投写型映像表示装置。
【請求項２】
前記羽根無し送風機組立体は、機内または機外の空気を一次空気として取り入れる環状ダクトと、環状ダクトの内周側に形成される中央開口部と、中央開口部の空気を誘引するように前記環状ダクトの側面に開口する環状ノズルとを備えていることを特徴とする請求項１記載の投写型映像表示装置。
【請求項３】
前記環状ダクトは、冷却対象である光学部品の光透過面に略相似する形状に形成されていることを特徴とする請求項２記載の投写型映像表示装置。
【請求項４】
前記環状ダクトは、中央開口部が冷却対象の光透過面より大きく形成されていることを特徴とする請求項３記載の投写型映像表示装置。
【請求項５】
前記羽根無し送風機組立体は、一次空気用ファンから搬送用ダクトを介して前記環状ダクトに対し機外又は機内空気が一次空気として搬送されるように構成されていることを特徴とする請求項２〜４の何れか１項に記載の投写型映像表示装置。
【請求項６】
前記羽根無し送風機組立体は、液晶ライトバルブを構成する複数の光学部品の各光透過面に対向する位置にそれぞれ配置されていることを特徴とする請求項２〜５の何れか１項に記載の投写型映像表示装置。
【請求項７】
前記複数の光学部品それぞれに対向して個別に配置されている各羽根無し送風機組立体は、共通の一次空気用ファンから共通の搬送用ダクトを介して前記環状ダクトに対し一次空気が搬送されるように構成されていることを特徴とする請求項６記載の投写型映像表示装置。
【請求項８】
請求項１〜７の何れか１項に記載の投写型映像表示装置において、前記光源ランプからの光を赤色光、緑色光及び青色光色に分離する色分離光学系が設けられるとともに、前記液晶ライトバルブは、色分離された赤色光、緑色光、青色光毎に光変調するように構成され、さらに、各液晶ライトバルブを構成する光学部品毎に前記羽根無し送風機組立体が設けられていることを特徴とする投写型映像表示装置。
【請求項９】
前記冷却システムは、前記光源ランプを冷却する冷却システムとは別系統に形成されていることを特徴とする請求項８記載の投写型映像表示装置。
【発明の詳細な説明】
【技術分野】
【０００１】
本発明は、投写型映像表示装置に関し、特に、液晶ライトバルブを用いた投写型映像表示装置における光学部品の冷却に関する。
【背景技術】
【０００２】
従来、投写型映像表示装置として液晶投写型映像表示装置が普及している。この液晶投写型映像表示装置は、光源からの光を透過型液晶パネルに照射するとともに、入力された映像信号に基づいて液晶ライトバルブを駆動することにより液晶ライトバルブから変調された映像光を出射し、さらに、投写レンズを介してこの出射光を投写するものである。
【０００３】
また、液晶投写型映像表示装置は、光源ランプとしては非常に高輝度な光源ランプが用いられている。このため、光学系を構成する光学部品の中には光源ランプの発熱により高温となるため冷却を必要とするものがある。このような部品として、光源ランプの他に液晶ライトバルブを構成する液晶パネル、偏光板などを挙げることができる。そして、これら光学部品は、冷却ファンから送られてくる冷却用空気により冷却されているが、近年は高輝度化の傾向にあって発熱量が増大しているため、冷却性能の向上が重要な課題となっている。また、冷却風量の増加に伴い送風機の騒音も大きくなってきている。
【０００４】
ところで、光学部品の冷却システムは、必要冷却熱量、構造などの相違により、一般に光源ランプの冷却と液晶ライトバルブの冷却とは別系統で行われており、本発明は後者の冷却システムに関する。その一般的な例を図６に図示する。この図に示すように、従来の冷却システムは、機外または機内から冷却用空気を吸入する冷却ファン１０１、冷却対象の光学部品１０２、光学部品の下方に配置された冷却空気を搬送するための搬送用ダクト１０３、搬送用ダクト１０３から冷却対象の光学部品に対し冷却用空気を吹き付ける吹出口１０４などを備えている。なお、この例における、光学部品１０２は、液晶パネル１０５、入射側偏光板１０６及び出射側偏光板１０７などから構成されている。また、冷却ファン１０１としてシロッコファンや軸流ファン等が用いられている。
【０００５】
さらに、冷却ファン１０１により吸入され、搬送用ダクト１０３を通じて搬送された冷却空気は、吹出口１０４より冷却対象の光学部品１０２である液晶パネル１０５、入射側偏光板１０６及び出射側偏光板１０７の光透過面に平行に上方に向けて吹き出され、これら光学部品１０２が冷却されるように構成されていた。なお、図６において、１０９は光軸、１１０はコンデンサーレンズ、１１１はクロスダイクロイックプリズム、１１２は投写レンズをそれぞれ示す。また、このような公知例としては、特許文献１、特許文献２等を挙げることができる。
【先行技術文献】
【特許文献】
【０００６】
【特許文献１】特開２００７−２９８８９０号公報
【特許文献２】特開２００４−２２６９１４号公報
【特許文献３】特開２００９−６２９８６号公報
【特許文献４】特開昭５６−１６７８９７号公報
【発明の概要】
【発明が解決しようとする課題】
【０００７】
ところが、このような従来の冷却システムにおいては、吹出口１０４から吹き出された冷却用空気は、液晶パネル１０５、入射側偏光板１０６及び出射側偏光板１０７の光透過面に対し平行に流されている。このため、最も温度が高くなるこれら光透過面の中央部や、吹出口１０４から遠い部分に対し必要な冷却空気量を供給することが難しく、効率のよい冷却効果を得ることが困難であった。また、これにより輝度むらが生じやすく映像品質の低下を招いていた。
【０００８】
こうしたことから、本発明者は、上記吹出口に代わり羽根無し送風機組立体として知られる吹出機構を用いることを考え付いた。このような羽根無し送風機組立体としては、特許文献３、特許文献４等により公知となっているものがある。そこで、本発明を説明する前に、先ず羽根無し送風機組立体の概要を、図７〜図９に基づき説明する。
【０００９】
従来公知の羽根無し送風機組立体は、図７に示すように基部１５０の上に環状ダクト１６０が取り付けられたもので、基部１５０には従来一般のモータ駆動の送風機１５１が内蔵されている（図８参照）。また、この送風機１５１から一次空気が環状ダクト１６０に送られ、環状ダクト１６０に形成された環状ノズル１６１から１次空気が噴出される。そして、一次空気が環状ノズル１６１を通過する際に、コアンダ面１６２によるコアンダ効果により中央開口部１６３から二次空気が誘引される。これにより中央開口部１６３から、略均一の吹き出し空気が得られるようにしたものである。本発明は、このような送風機組立体を従来一般の吹出口に代わり用いることにより、光学部品を効率よく冷却するようにしたものである。
【００１０】
本発明は、前述の従来技術における問題点に鑑みなされたものであって、羽根無し送風機組立体を用いることにより、液晶パネル、偏光板などの光学部品における光透過面の中心部分を効率的に冷却するとともに光透過面全体を均等に冷却できるようにした投写型映像表示装置を提供することを目的とする。
【課題を解決するための手段】
【００１１】
上記目的を達成するために、本発明の投写型映像表示装置は、光源ランプと、光源ランプからの光を変調する液晶ライトバルブと、液晶ライトバルブを構成する光学部品を冷却する冷却システムを備えた投写型映像表示装置において、前記液晶ライトバルブを構成する光学部品の光透過面に対し、光の透過に支障を与えることなく垂直に冷却風を吹き付けることのできる羽根無し送風機組立体を備えたことを特徴とする。
【００１２】
このような構成上の特徴を有する本発明の投写型映像表示装置によれば、羽根無し送風機組立体から液晶ライトバルブを構成する光学部品の光透過面に対し、光の透過に支障を与えることなく、冷却風が垂直に吹き付けられるので、光透過面の中央部が効率よく冷却されるとともに光透過面全体が均等に冷却される。これにより、輝度むらの低下による映像品質の低下が抑制される。
【００１３】
また、前記羽根無し送風機組立体は、機内または機外の空気を一次空気として取り入れる環状ダクトと、環状ダクトの内周側に形成される中央開口部と、中央開口部の空気を誘引するように前記環状ダクトの側面に開口する環状ノズルとを備えているものとすることができる。このように構成されていると、環状ダクトの内周側に形成される中央開口部から均一な冷却空気が光学部品の光透過面に吹き付けられる。また、中央開口部から吹き出される風量は、一次空気量より多くなるので効率よく冷却される。さらに、一次空気を供給する送風機の風量は、従来の冷却用送風機の風量よりも少なくなるので送風機の騒音を低減することができる。
【００１４】
また、前記環状ダクトは、冷却対象である光学部品に対向する面の形状が当該光学部品の光透過面に略相似する形状に形成されていることが好ましい。このように構成されていると、環状ダクトを必要最小限の大きさにすることができるので、羽根無し送風機組立体をコンパクトな構成とすることができる。
【００１５】
また、このような羽根無し送風機組立体において、前記環状ダクトは、中央開口部が冷却対象の光透過面より大きく形成されていることが好ましい。このように構成されていると、光透過面に対し全面的に均等な冷却風を吹きつけることができる。
【００１６】
また、前記羽根無し送風機組立体は、一次空気用ファンから搬送用ダクトを介して、機外又は機内空気を一次空気として前記環状ダクトへ搬送するように構成されていることが好ましい。このように構成されていると、一次空気用ファンと羽根無し送風機組立体とは別の位置に配置することができるので、これら部品の機種選択及びその配置に自由度ができる。したがって、光学系に対する一次空気用ファンの最適な組み付け設計を容易化することができる。
【００１７】
前記羽根無し送風機組立体は、液晶ライトバルブを構成する複数の光学部品の各光透過面に対向する位置にそれぞれ配置されていることが好ましい。液晶ライトバルブは、液晶パネル、入射側偏光板、出射側偏光板などの複数の光学部品が狭い空間を挟んで並列に配置されているが、このように構成されていると、各光学部品に対してその光透過面を効率よく冷却することができる。
【００１８】
前記複数の光学部品それぞれに対向して個別に配置されている各羽根無し送風機組立体は、共通の一次空気用ファンから共通の搬送用ダクトを介して前記環状ダクトに対し一次空気が搬送されるように構成されていることが好ましい。このように構成されていると、複数の各羽根無し送風機組立体に対し、一次空気用ファン及び一次空気を搬送する搬送用ダクトが1個で済むので、冷却システム全体を小型化することができる。
【００１９】
上記のような各投写型映像表示装置において、前記光源ランプからの光を赤色光、緑色光及び青色光色に分離する色分離光学系が設けられるとともに、前記液晶ライトバルブは、色分離された赤色光、緑色光、青色光毎に光変調するように構成され、さらに、各液晶ライトバルブを構成する光学部品毎に前記羽根無し送風機組立体が設けられていることが好ましい。このように構成されていると、３板式液晶投写型映像表示装置において、液晶ライトバルブを構成する各光学部品を効率よく冷却することができる。
【００２０】
また、前記冷却システムは、前記光源ランプを冷却する冷却システムとは別系統に形成されていることが好ましい。液晶ライトバルブの光学部品を冷却する冷却システムは、光源ランプの冷却システムとは風量、送風経路の空気抵抗、光学部品の配置場所等が相違する。したがって、液晶ライトバルブの光学部品を冷却する冷却システムは、光源ランプの冷却システムとは別システムとすることにより、最適設計を行うことが容易化される。
【発明の効果】
【００２１】
本発明によれば、送風機組立体から光学部品の光透過面に対し、光の透過に支障を与えることなく、冷却風が垂直に吹き付けられるので、光透過面の中央部が効率よく冷却されるとともに光透過面全体が均等に冷却される。これにより、輝度むらの低下による映像品質の低下が抑制される。
【図面の簡単な説明】
【００２２】
【図１】本発明の実施の形態に係る投写型映像表示装置の光学系系統図である。
【図２】同投写型映像表示装置における液晶ライバルブを冷却する冷却システムの構成図である。
【図３】同冷却システムにおける羽根無し送風機組立体の断面図であって、（ａ）は正面断面図、（ｂ）は平面断面図である。
【図４】同羽根無し送風機組立体における環状ダクトの部分拡大断面図である。
【図５】同羽根無し送風機組立体における環状ダクトの変形例に係る部分拡大断面図である。
【図６】従来の投写型映像表示装置における液晶ライバルブを冷却する冷却システムの構成図である。
【図７】従来例に係る羽根無し送風機組立体の全体構成図である。
【図８】同羽根無し送風機組立体における側面断面図である。
【図９】同羽根無し送風機組立体における環状ダクトの部分拡大断面図である。
【発明を実施するための形態】
【００２３】
以下、本発明の実施の形態に係る投写型映像表示装置について図面に基づいて説明する。先ずその光学系について図１に基づき説明する。
この投写型映像表示装置は、３板式液晶投写型映像表示装置であって、その光学系として、照明光を射出する照明光学系１０、照明光学系１０から射出された照明光を赤色光、緑色光及び青色光に分離する色分離光学系２０を備えている。さらに、この光学系には、色分離光学系２０によって分離された赤色光、緑色光及び青色光をそれぞれ変調する各色光用の液晶ライトバルブ３０ｒ，３０ｇ，３０ｂと、液晶ライトバルブ３０ｒ，３０ｇ，３０ｂにより変調された変調光を合成する色合成光学系４０とを備えている。また、この光学系は、色合成光学系４０から射出された合成光をカラー映像光としてスクリ−ン６０等に対し拡大投写するための投写光学系５０を備えている。
【００２４】
照明光学系１０は、光源ランプ１１、インテグレータレンズ１２、偏光変換素子１３、及びコンデンサーレンズ１４を有している。光源ランプ１１としては、メタルハライドランプ、超高圧水銀ランプなどの放電型ランプを発光体として使用するととともに、発光体からの照射光がリフレクタによって平行光となって、発光体の軸方向に出射されるように構成されている。
【００２５】
光源ランプ１１から出射された光束は、入射側に配設される第１レンズアレイと、出射側に配設される第２レンズアレイとからなるインテグレータレンズ１２に照射される。インテグレータレンズ１２に照射された光束は、第１レンズアレイの複数のセルレンズにより複数の微小な部分光束に分割される。そして、第１レンズアレイから出射された複数の部分光束のそれぞれが、対応する第２レンズアレイのセルレンズ上に集光される。また、インテグレータレンズ１２から出射された光束は、偏光変換素子１３において光を所定の偏光光に揃えられ、コンデンサーレンズ１４を通して色分離光学系２０へ出射される。
【００２６】
偏光変換素子１３は、小さな複数の偏光ビームスプリッタアレイによって構成されており、インテグレータレンズ１２からの光を１種類の偏光に変換してコンデンサーレンズ１４に出射する。
【００２７】
色分離光学系２０は、ダイクロイックミラー２１，２２、反射ミラー２３，２４，２５、リレーレンズ２６，２７、コンデンサーレンズ２８ｒ、２８ｇ、２８ｂなどから構成されたものであって、照明光学系１０から射出される照明光を赤色光、緑色光及び青色光に分離する機能を有している。
【００２８】
第１のダイクロイックミラー２１は、赤色光を透過させるとともに、緑色光及び青色光を反射する。第１のダイクロイックミラー２１を透過した赤色光は、反射ミラー２３で反射され、コンデンサーレンズ２８ｒを透過して赤色光用液晶ライトバルブ３０ｒに導かれる。コンデンサーレンズ２８ｒは、照明光学系１０からの複数の部分光束がそれぞれ赤色光用液晶ライトバルブ３０ｒを照明するように集光し、各部分光束がそれぞれ略平行な光束となるように設定されている。なお、後述する緑色光用液晶ライトバルブ３０ｇ及び青色光用液晶ライトバルブ３０ｂの入射側に配設されたコンデンサーレンズ２８ｇ，２８ｂもコンデンサーレンズ２８ｒと色光を異にするが同様に設定されている。
【００２９】
第１のダイクロイックミラー２１で反射された緑色光と青色光のうち緑色光は、第２のダイクロイックミラー２２によって反射され、コンデンサーレンズ２８ｇを透過して緑色光用液晶ライトバルブ３０ｇに導かれる。一方、青色光は、第２のダイクロイックミラー２２を透過し、リレーレンズ２６、反射ミラー２４、リレーレンズ２７を順次通過して青色光用液晶ライトバルブ３０ｂに導かれる。
【００３０】
赤色光用液晶ライトバルブ３０ｒは、入射側に配置された入射側偏光板３１ｒ、透過型の液晶パネル３２ｒ、出射側に配置された出射側偏光板３３ｒなどから構成されている。また、緑色光用液晶ライトバルブ３０ｇは、入射側に配置された入射側偏光板３１ｇ、透過型の液晶パネル３２ｇ、出射側に配置された出射側偏光板３３ｇなどから構成され、青色光用液晶ライトバルブ３０ｂは、入射側に配置された入射側偏光板３１ｂ、透過型の液晶パネル３２ｂ、出射側に配置された出射側偏光板３３ｂなどから構成されている。
【００３１】
色合成光学系４０は、クロスダイクロイックプリズム４１などから構成されている。また、クロスダイクロイックプリズム４１は、赤色光用液晶ライトバルブ３０ｒにて変調されて出射された赤色光を反射させる反射面４１ｒ及び青色光用液晶ライトバルブ３０ｂにて変調されて出射された青色光を反射させる反射面４１ｂを備えている。そして、クロスダイクロイックプリズム４１に入射した赤色光及び青色光は反射面４１ｒ，４１ｂで反射され、クロスダイクロイックプリズム４１に入射して直進透過する緑色光と合成され、合成光がカラー映像として出射されるように構成されている。
【００３２】
投写光学系５０は、クロスダイクロイックプリズム４１の出射側に配置されており、投写レンズユニット５１と、投写映像を上下左右に移動させためのレンズシフト機構（具体的な構成は図示せず）などから構成されている。
【００３３】
以上のような構成の光学系には、光源ランプ１１以外に冷却を必要とする光学部品が含まれている。このような光学部品として代表的なものは、各色光用の液晶ライトバルブ３０ｒ，３０ｇ，３０ｂを構成する各光学部品である。より具体的には、この実施の形態においては、液晶パネル３２ｒ，３２ｇ，３２ｂ、入射側偏光板３１ｒ，３１ｇ，３１ｂ、出射側偏光板３３ｒ，３３ｇ，３３ｂであって、これら光学部品は、光源ランプ１１を冷却する冷却システムとは別個の冷却システムにより冷却されている。
【００３４】
次に、図２〜図４に基づき液晶ライトバルブ３０ｒ，３０ｇ，３０ｂを構成する光学部品の冷却システムについて説明する。なお、各色光の液晶ライトバルブ３０ｒ，３０ｇ，３０ｂを構成する光学部品の冷却システムについてはそれぞれ同様のものであるので、その一例を代表的に採り上げて説明する。なお、以下の説明において、各色光用の部品を代表して記載するときは、液晶ライトバルブ３０、入射側偏光板３１、液晶パネル３２、出射側偏光板３３のようにｒ，ｇ，ｂを付さない符号で記載するものとする。
【００３５】
液晶ライトバルブ３０を構成する光学部品を冷却する冷却システムは、図２に示すように、この光学部品である入射側偏光板３１、液晶パネル３２、出射側偏光板３３のそれぞれの光透過面に対向する位置に羽根無し送風機組立体７０が設けられている。これにより、羽根無し送風機組立体７０から各光透過面に対し冷却風が垂直に吹き付けられるように構成されている。また、これら複数の羽根無し送風機組立体７０に対し一次空気を搬送する搬送用ダクト８１と、搬送用ダクト８１へ一次空気を供給するための、通常のモータ駆動の一次空気用ファン８２とが設けられている。
【００３６】
羽根無し送風機組立体７０は、図３に示すように、内部通路７１を備えた環状ダクト７２と、環状ダクト７２の内周側に形成された中央開口部７３と、中央開口部７３の空気を誘引するように環状ダクト７２の側面に開口する環状ノズル７４（図３（ｂ）参照）を備えている。また、羽根無し送風機組立体７０は、搬送用ダクト８１から環状ダクト７２の内部通路７１へ一次空気を導くための連絡通路７５とを備えている。
【００３７】
環状ダクト７２は、連絡通路７５との連絡部以外では内部通路７１が連続しており、この内部通路７１により連絡通路７５からの一次空気が円滑に流通するように形成されている。また、環状ダクト７２を形成する壁体は、中央開口部７３側の壁面に、内部通路７１を流通する一次空気を吹き出す環状ノズル７４が形成されるように、壁体を巻き込んだような構造で形成されている。
【００３８】
環状ノズル７４は、図４に示すように、内部通路７１に直交する断面で見ると、内部通路７１から空気流を受け付ける流入口７６から流出口まで次第に幅が狭くなるスリットに形成されるとともに、流入口７６に連続してコアンダ面７７が設けられている。コアンダ面７７は、流入口７６からコアンダ面７７に沿って流れる一次空気がコアンダ効果により中央開口部７３の空気を誘引して、増量された二次空気流が形成されるように構成されている。
【００３９】
連絡通路７５は、搬送用ダクト８１から環状ダクト７２へ一次空気を導く際に空気抵抗が小さくなるように、搬送用ダクト８１との接続部の通路が大きくなるようにし、環状ダクト７２の接続部では絞られた形状に形成されている。
【００４０】
前記モータ駆動の一次空気用ファン８２は、シロッコファンが用いられており、高静圧の吐出圧力であって、かつ静粛な運転が行えるように配慮されている。また、この一次空気用ファン８２は、搬送用ダクト８１を介して前記羽根無し送風機組立体７０に接続されているので、一次空気用ファン８２の機種選択や配置場所として最適のものを選ぶことが容易になる。また、一次空気用ファン８２及び搬送用ダクト８１は、液晶ライトバルブ３０、入射側偏光板３１、液晶パネル３２、出射側偏光板３３を冷却する複数の羽根無し送風機組立体７０に対し共通の一次空気供給部材として機能している。なお、赤色光、緑色光、及び青色光用の液晶ライトバルブ３０ｒ，３０ｇ，３０ｂに対し共通の一次空気用ファン８２が用いられているが、搬送用ダクト８１は、配置場所が異なるそれぞれの液晶ライトバルブ３０ｒ，３０ｇ，３０ｂに対し連絡されている。
【００４１】
以上のように構成された３板式液晶投写型映像表示装置における冷却システムは、次のように動作する。
この液晶投写型映像表示装置の運転中は、光源ランプ１１の点灯により液晶ライトバルブ３０を構成する光学部品が温度上昇するが、上述の冷却システムにより冷却される。この冷却システムにおいては、図示しない吸込口より機外空気を吸い込むように構成された機内から、一次空気が一次空気用ファン８２により吸い込まれる。一次空気用ファン８２により吸い込まれた機内空気は、一次空気として搬送用ダクト８１を介して液晶ライトバルブ３０、入射側偏光板３１、液晶パネル３２の光透過面に対向して配置される各羽根無し送風機組立体７０に対し搬送される。この一次空気は、連絡通路７５を介して環状ダクト７２内の内部通路７１に送られる。
【００４２】
内部通路７１を流通する一次空気は、流入口７６から環状ノズル７４に入る。また、流入口７６から流入した一次空気はコアンダ面７７に沿って吹き出され、コアンダ面７７のコアンダ効果により中央開口部７３の空気を誘引して、増量された二次空気として中央開口部７３から吹き出される。この二次空気流は、中央開口部７３の開口面から垂直方向に均等に吹き出される。したがって、液晶ライトバルブ３０を構成する光学部品の光透過面に対し垂直方向に冷却空気が吹き付けられ、その結果従来冷却され難いとされていた光透過面の中央部は勿論、図６における吹出口１０４から遠くの部分を含め、全体的に均一に効率よく冷却される。
【００４３】
本発明に係る投写型映像表示装置は、以上のごとく構成されているので、次のような効果を奏することができる。
（１）液晶ライトバルブ３０を構成する光学部品の光透過面に対し、光の透過に支障を与えることなく垂直に冷却風を吹き付けることのできる羽根無し送風機組立体７０が設けられているので、温度が高くなり易い光透過面の中央部が効率よく冷却されるとともに光透過面全体が均等に冷却される。これにより、輝度むらが抑制され、映像品質の低下が抑制される。
【００４４】
（２）羽根無し送風機組立体７０は、機内空気を一次空気として取り入れる環状ダクト７２と、環状ダクト７２の内周側に形成される中央開口部７３と、中央開口部７３の空気を誘引するように環状ダクト７２の側面に開口する環状ノズル７４とを備えている。したがって、環状ダクト７２の内周側に形成される中央開口部７３から均一な冷却空気が光学部品の光透過面に吹き付けられる。また、その風量も、一次空気量より多くなるので効率よく冷却されるとともに、一次空気を供給する一次空気用ファン８２の風量を従来の冷却用ファンの風量よりも少なくすることができるので一次空気用ファン８２の騒音を低減することができる。
【００４５】
（３）前記環状ダクト７２は、冷却対象である光学部品に対向する面の形状が当該光学部品の光透過面に略相似する形状に形成されているので、環状ダクト７２を必要最小限の大きさにすることができる。したがって、羽根無し送風機組立体７０をコンパクトに構成することができる。
【００４６】
（４）また、このような羽根無し送風機組立体７０において、環状ダクト７２は、中央開口部７３が冷却対象の光透過面より大きく形成されているので、光透過面に対し全面的に均等な冷却風を吹きつけることができる。
【００４７】
（５）羽根無し送風機組立体７０は、一次空気用ファン８２から搬送用ダクト８１を介して環状ダクト７２に対し機内空気が一次空気として搬送されるように構成されているので、一次空気用ファン８２の機種選択及びその配置に自由度ができ、光学系に対する一次空気用ファン８２の最適な組み付け設計を容易化することができる。
【００４８】
（６）羽根無し送風機組立体７０は、液晶ライトバルブ３０を構成する複数の光学部品すなわち、液晶パネル３２、入射側偏光板３１、出射側偏光板３３毎に、これら光学部品の光透過面に対向した位置に配置されているので、各光学部品を効率よく冷却することができる。
【００４９】
（７）各羽根無し送風機組立体７０は、共通の一次空気用ファン８２から共通の搬送用ダクト８１を介して環状ダクト７２に対し一次空気が搬送されるように構成されているので、冷却システムが簡素化され、全体が小型化される。
【００５０】
（８）また、このような投写型映像表示装置において、光源ランプ１１からの光を赤色光、緑色光及び青色光色に分離する色分離光学系２０が設けられている。また、液晶ライトバルブ３０は、色分解された赤色光、緑色光、青色光毎に光変調するように構成され、さらに、各液晶ライトバルブ３０を構成する光学部品毎に羽根無し送風機組立体７０が設けられている。従って、３板式液晶投写型映像表示装置において、液晶ライトバルブ３０を構成する各光学部品を効率よく冷却することができる。
【００５１】
（９）また、上記冷却システムは、光源ランプ１１を冷却する冷却システムとは風量、送風経路の空気抵抗、光学部品の配置場所等が相違するため。光源ランプ１１の冷却システムとは別系統に形成されている。したがって、上記液晶ライトバルブ３０を冷却する冷却システムの最適設計が容易化されている。
【００５２】
（変形例）
上記実施の形態において以下のように変更することもできる。
・上記実施の形態において、一次空気用ファン８２は、機内空気を吸入するように構成されているが、機外空気を直接吸入するように構成されていてもよい。
【００５３】
・一次空気用ファン８２は、シロッコファンにより形成されているが、他形式のファンを使用してもよい。例えば、プロペラファンやターボファンを使用してもよい。
・環状ダクト７２に形成される環状ノズル７４は、図４に記載のような構造でなくてもよい。例えば、図５に示すように、巻き込んだ湾曲形状の壁体の先端に湾曲壁面に対し直交するような形状をなして突出する壁体を形成し、この壁体をコアンダ面７７としてもよい。このように構成すると、環状ダクト７２の内部通路７１の断面形状及びコアンダ面７７の形状に自由度が得られるので、環状ダクト７２を小型化しながらコアンダ面７７を大きくすることが可能になる。
【００５４】
・上記実施の形態においては、投写型映像表示装置として光変調素子に液晶パネルを用いた所謂３板式液晶投写型映像表示装置を示したが、これに限定されるものではなく、他の画像光生成系を備えた投写型プロジェクタとしてもよい。例えば、ＤＬＰ（Digital Light Processingテキサス・インスツルメンツ（ＴＩ社）の登録商標）方式のプロジェクタにおいても本発明を適用することができる。
【産業上の利用可能性】
【００５５】
本発明に係る投写型映像表示装置は、ホームシアター、会議室、研修室、教室、娯楽場、各種展示室、スタジオなど多方面の施設における画像表示システムとして利用することができる。
【符号の説明】
【００５６】
１１…光源ランプ、２０…色分離光学系、３０，３０ｂ，３０ｇ，３０ｒ…液晶ライトバルブ、７０…羽根無し送風機組立体、７２…環状ダクト、７３…中央開口部、７４…環状ノズル、８１…搬送用ダクト、８２…一次空気用ファン。
【図１】
2012037710.tif 000003
【図２】
2012037710.tif 000004
【図３】
2012037710.tif 000005
【図４】
2012037710.tif 000006
【図５】
2012037710.tif 000007
【図６】
2012037710.tif 000008
【図７】
2012037710.tif 000009
【図８】
2012037710.tif 000010
【図９】
2012037710.tif 000011